(57)【要約】【課題】本発明が解決しようとする課題は、太陽光エネルギーを活用して、社会一般に普及可能で、使いやすく簡易な海水淡水化装置を提供することである。【解決手段】ビニールハウス又は温室に、海水を入れた水槽を配置し、太陽光を当てて水蒸気を発生させる。又、ソーラーパネルからの電気を使って、海水を温めて水蒸気を作る。こうして作った水蒸気を、気密性を持つビニールハウス内に充満させ、それを除湿機で回収して水に戻す。この水を農業用水や飲料水として新たに活用する。本発明の装置を安定的に利用するためには、使用する海水を海岸から供給するパイプライン、電気を得るソーラーパネルが必要である。以上の通りの、太陽光と海水を活用してコストが安く、２４時間稼働して人手のかからない海水淡水化装置。【選択図】図１
2020044528.tif 000002
【特許請求の範囲】
【請求項１】
ビニールハウス又は温室と、海水を入れた水槽容器と、除湿器と、海水を蒸発させる水蒸気発生装置と、ソーラーパネルによる電源装置と、パイプラインを用いてビニールハウスに海から海水を供給するシステム、を備えていることを特徴とする海水淡水化装置。
【請求項２】
ソーラーパネルのからの電源装置と、海水を蒸発させる水蒸気発生装置と、
パイプラインを用いてビニールハウスに海から海水を供給するシステム、
この三つの装置のうち、どちらか一つか二つ、又は全てが除かれていることを特徴とする請求項１に記載の海水淡水化装置。
【発明の詳細な説明】
【技術分野】
【０００１】本発明は、ビニールハウス又は温室を使った海水淡水化装置に関するものである。
【背景技術】
【０００２】従来の海水淡水化装置は、高度な技術を使う海水淡水化装置であり、大規模で且つ高価であった。日本は水の豊かな国であるので、島や離島などでは必要であるものの海水淡水化の必要性が少なく、一般人の関心も薄かった。そのため一般に普及する淡水化装置の技術はあまり研究されてなかった。
【先行技術文献】
【特許文献】
【０００３】
【特許文献１】特開２０００−１５７０６８
【非特許文献】
【０００４】
【非特許文献１】
【発明の概要】
【発明が解決しようとする課題】
【０００５】本発明が解決しようとする課題は、太陽光の自然エネルギーを活用して、技術的に簡易で使いやすい淡水化装置を提供することである。
【課題を解決するための手段】
【０００６】本発明は、ビニールハウス１や温室の中で海水を蒸発させ、それを除湿機２で回収して水として利用するというものである。図３のように海からパイプライン１２を用いて海水を取水し、ソーラーパネル１１から本システムの機器を動かす電力を得る。【０００７】人が入ることが可能な範囲で高温になったビニールハウス１や温室の中で、水槽４の海水は太陽光を熱源として蒸発し、気密性のあるビニールハウス１や温室内に水蒸気を充満させる。それに加えてソーラーパネル１１を電源として温められた乾燥台（蒸気発生器）３よりの水蒸気も加わる。それを除湿機２を用いて、水蒸気を回収し水にして取り出す。
【発明の効果】
【０００８】従来の海水淡水化装置は、高度に専門的で個人が扱うのは困難であったが、本発明は、簡易で安価であり、操作も容易で安定して水が得られる。又、太陽光を利用できない時間帯も蓄電池で稼働できる。そして本システムは簡単な装置の結合であるので、設置や規模の拡大が容易である。【０００９】運用コストについては、原材料といえる海水は海から取水し、使用する電気エネルギーは太陽光を利用するため、運用コストは最小限で済む。ほぼ純水である得られる水は、農業用水としてはそのまま使用でき、飲料としてはミネラルなどを添加すれば利用できる。特に地球温暖化が進む現代において、水不足の問題は海外の乾燥や干ばつが進む地域では緊急に必要なものである。
【図面の簡単な説明】
【００１０】
【図１】本発明の全体図
【図２】乾燥台（蒸気発生器）の分解図
【図３】全体の概念図  海の海水をパイプラインで送水し、ソーラーパネルより電力を得る。
【図４】使用例  ビニールハウス内に培地を設けたもの。
【図５】使用例  長くて小径のビニールハウス内に、本発明を組み込んだもの。
【発明を実施するための形態】
【００１１】以下、本発明の実施の形態を図面に基づいて説明する。
【００１２】図３のように、本発明に使用する海水は海から取水し、使用する電力はソーラーパネル１１から得ている。
【００１３】図１において、ビニールハウス１の中に設置された水槽４に海水を入れて太陽光に当てると、海水からの水蒸気は密閉されたビニールハウス１の中に充満する。
【００１４】図２の乾燥台（蒸気発生器）３では、ソーラーパネル１１からの電流でヒーター線９が発熱して金属板７が温められる。その上に水槽に通じたパイプ６を通ってきた海水を滴下させると、金属板７に滴下した水滴は水蒸気となり、ビニールハウス１の中に拡散する。ビニールハウスの中に設置された除湿機２を動かして、ビニールハウス内の水蒸気を真水に戻す。従来は使用されてなかったこの水を、本発明は使用すべき水として利用する。
【実施例】
【００１５】図４は、ビニールハウスの中に海水の水槽と栽培の園地の両方を配置した例である。ビニールハウスが海水淡水化装置としてだけでなく、培地としても使えるのが長所である。【００１６】図５は、小径で長いビニールハウスの中に本発明のシステムを組み込んだものである。このタイプの仕様は、従来の灌漑方式と変わらない効果を期待しうるものである。
【産業上の利用可能性】
【００１７】本発明により、簡易な装置で水を得ることが出来る。海水と太陽光によるエネルギーを最大限活用するため、安価な水を得ることが可能になる。安価な水であれば、農業分野の水としても使える。日本では人口減と過疎化で水道インフラの維持が困難となっている地域が出現していて、その地域には必要なシステムになりうる。また海外では、地球温暖化の進行により乾燥地や砂漠が拡大し、干ばつの被害も拡大している。本発明のシステムは、個人の家庭や農園に普及可能なシステムなので、広く役立つものになる。
【符号の説明】
【００１８】［図１］
１ビニールハウス
２除湿機
３乾燥台（蒸気発生器）
４水槽（海水）
５コンクリート又は厚手のゴムシート
［図２］（乾燥台の分解図）
６海水を滴下するパイプ
７金属板
８断熱板
９ヒーター線
１０架台
［図３］
１１ソーラーパネル
１２パイプライン
【図１】
2020044528.tif 000003
【図２】
2020044528.tif 000004
【図３】
2020044528.tif 000005
【図４】
2020044528.tif 000006
【図５】
2020044528.tif 000007
【手続補正書】
【提出日】平成31年4月22日(2019.4.22)
【手続補正１】
【補正対象書類名】特許請求の範囲
【補正対象項目名】請求項１
【補正方法】変更
【補正の内容】
【請求項１】
ビニールハウス又は温室の中に、海水を入れた水槽容器と、除湿器と、海水を蒸発させる水蒸気発生装置を設置して、ソーラーパネルを電源装置として備えていることを特徴とする海水淡水化装置。
【手続補正２】
【補正対象書類名】特許請求の範囲
【補正対象項目名】請求項２
【補正方法】変更
【補正の内容】
【請求項２】
ソーラーパネルのからの電源装置と、海水を蒸発させる水蒸気発生装置について、この二つの装置のうち、どちらか一つ、又は二つが除かれていることを特徴とする、請求項１に記載の海水淡水化装置。